【手続補正書】
【提出日】平成17年6月20日(2005.6.20)
【手続補正１】
【補正対象書類名】明細書
【補正対象項目名】請求項１
【補正方法】変更
【補正の内容】
【請求項１】
外部から第１の同期信号が入力される度にリセット信号を発生する同期信号検出手段と、一定周期のクロックをカウントし、前記リセット信号が入力される度にカウント値が第１の値にセットされ、該カウント値が第２の値に達したときにクリアされる第１のカウンタを有し、該第１のカウンタがクリアされる度に第２の同期信号を外部に出力する同期信号生成手段とを有する同期信号発生装置において、
前記第１のカウンタのカウント値が第３の値に達したときに窓信号を生成する窓信号生成手段と、
前記窓信号が生成されている期間内に前記リセット信号が発生した時にカウント値が増分される第２のカウンタを有し、前記窓信号が、Ｒ１（Ｒ１は２以上の整数）回連続して生成された時点において、前記第２のカウンタのカウント値が第１の閾値に達した場合に前記第１の同期信号と前記第２の同期信号とが同期状態にあると判定する同期判定手段と、
前記窓信号が生成されている期間内に前記第１のリセット信号が発生しなかった時にカウント値が増分される第３のカウンタを有し、前記同期判定手段が前記第１の同期信号と前記第２の同期信号とが同期状態にあると判定した後、前記窓信号がＲ２（Ｒ２は２以上の整数）回連続して生成された時点において、前記第３のカウンタのカウント値が第２の閾値に達した場合に前記第１の同期信号と前記第２の同期信号との同期が外れたと判定する同期外れ判定手段と、
を備えたことを特徴とする同期信号発生装置。
【手続補正２】
【補正対象書類名】明細書
【補正対象項目名】０００３
【補正方法】変更
【補正の内容】
【０００３】
図１１に、ＩＴＵ−Ｒ６０１：２４ビット4：4：4  ＮＴＳＣデジタル・インタフェース（Ｉ／Ｆ）フォーマットにおける各種信号を示す。同図に示すように、１〜５２５までの計５２５本のラインで１フレームが構成され、各ラインはＨＳＹＮＣ信号に同期して入出力される。１ラインは、８５８個の画素（ピクセル）で構成され、画素クロックＣＬＫの周波数は、１３．５ＭＨｚであり、従って1ライン期間（1Ｈ期間）は、６３．６μｓである。図１１下部の拡大図に示すように、２４ビット4：4：4  ＹＣｂＣｒインタフェースの場合は、画素クロックＣＬＫに同期して現れる各画素は、Ｙ、Ｃｂ、Ｃｒの各データＤａｔａ（ｙ）、Ｄａｔａ（Ｃｂ）、Ｄａｔａ（Ｃｒ）で構成される。
【手続補正３】
【補正対象書類名】明細書
【補正対象項目名】０００５
【補正方法】変更
【補正の内容】
【０００５】
図１０に、従来の同期信号検出ブロックの構成を示す。同図において、１は１３．５ＭＨｚの画素クロックＣＬＫと、水平同期信号ＨＳＹＮＣの両方を外部から入力するための外部同期信号入力部、２は入力されたＨＳＹＮＣ信号の立下りタイミングを検出しリセット信号ＲＳＴを生成する外部同期信号検出部、４はＨＳＹＮＣ信号に同期したタイミングで、装置内部で使用する水平同期信号を生成するための同期信号生成部、７は生成された水平同期信号を装置内部の各回路に出力するための同期信号出力部である。
【手続補正４】
【補正対象書類名】明細書
【補正対象項目名】００１２
【補正方法】変更
【補正の内容】
【００１２】
【課題を解決するための手段】
上記課題を解決すべく、請求項１に記載の発明は、外部から第１の同期信号が入力される度にリセット信号を発生する同期信号検出手段と、一定周期のクロックをカウントし、前記リセット信号が入力される度にカウント値が第１の値にセットされ、該カウント値が第２の値に達したときにクリアされる第１のカウンタを有し、該第１のカウンタがクリアされる度に第２の同期信号を外部に出力する同期信号生成手段とを有する同期信号発生装置において、
前記第１のカウンタのカウント値が第３の値に達したときに窓信号を生成する窓信号生成手段と、
前記窓信号が生成されている期間内に前記リセット信号が発生した時にカウント値が増分される第２のカウンタを有し、前記窓信号が、Ｒ１（Ｒ１は２以上の整数）回連続して生成された時点において、前記第２のカウンタのカウント値が第１の閾値に達した場合に前記第１の同期信号と前記第２の同期信号とが同期状態にあると判定する同期判定手段と、
前記窓信号が生成されている期間内に前記第１のリセット信号が発生しなかった時にカウント値が増分される第３のカウンタを有し、前記同期判定手段が前記第１の同期信号と前記第２の同期信号とが同期状態にあると判定した後、前記窓信号がＲ２（Ｒ２は２以上の整数）回連続して生成された時点において、前記第３のカウンタのカウント値が第２の閾値に達した場合に前記第１の同期信号と前記第２の同期信号との同期が外れたと判定する同期外れ判定手段と、
を備えたことを特徴とする。
【手続補正５】
【補正対象書類名】明細書
【補正対象項目名】００２０
【補正方法】変更
【補正の内容】
【００２０】
同期判定回路１２は、外部同期信号検出部２による第１のリセット信号ＲＳＴ１の生成タイミングと窓信号生成デコーダ８による窓信号の生成タイミングから、同期信号生成部４が生成する同期信号が外部からの水平同期信号ＨＳＹＮＣに正しく同期しているか否かを調べ、正常な同期状態にあると判定した場合には第１の状態信号ＳＴ１を出力する。同期外れ判定回路１５は、外部同期信号検出部２による第１のリセット信号ＲＳＴ１の生成タイミングと窓信号生成デコーダ８による窓信号の生成タイミングから、同期信号生成部４が生成する同期信号と外部からの水平同期信号ＨＳＹＮＣとの同期が外れていないか否かを調べ、同期が外れたと判定した場合には、第２の状態信号ＳＴ２を生成する。制御信号生成回路１０は、外部から供給される水平同期信号ＨＳＹＮＣ、画素クロックＣＬＫ、外部同期信号検出部２から出力される第１のリセット信号ＲＳＴ１、及び同期外れ判定手段１５から出力される第２の状態信号ＳＴ２から第２のリセット信号ＲＳＴ２及びカウンタ制御信号ＣＴＬを生成し、水平画素カウンタ５に供給する。
【手続補正６】
【補正対象書類名】明細書
【補正対象項目名】００４４
【補正方法】変更
【補正の内容】
【００４４】
図６に本発明の実施の形態３の同期信号発生装置の構成を示す。図６において、図５に示した要素と同じあるいは対応する要素には同じ符号を付し、説明は省略する。実施の形態３は、窓信号生成デコーダ８に代えて、幅が可変の可変窓信号を生成する可変窓信号生成デコーダ２０を備え、窓信号期間設定レジスタ１９が追加された点で実施の形態２と異なる。窓信号期間設定レジスタ１９は、窓信号のアクティブ期間（ロー期間）を画素クロックの周期の整数倍単位で任意の値に設定するパラメータを格納しており、可変窓信号生成デコーダ２０は、水平画素カウンタ５及び窓信号期間設定レジスタ１９に設定された内容を入力し、その内容に応じたアクティブ期間を有する可変窓信号を出力する。
【手続補正７】
【補正対象書類名】明細書
【補正対象項目名】００５４
【補正方法】変更
【補正の内容】
【００５４】
図９に本発明の実施の形態５の同期信号発生装置の構成を示す。図９において図８に示した要素と同じ要素には同じ符号を付し、説明は省略する。実施の形態５は、同期制御部９に同期状態検出レジスタ２３を設けた点で実施の形態４と異なる。同期状態検出レジスタ２３には、実施の形態１で説明したＨａ値、及びＨｂ値が入力される。同期状態検出レジスタ２３はＣＰＵ１８にそれらの値を伝えるためのリード・レジスタとしての機能を有する。
【手続補正８】
【補正対象書類名】明細書
【補正対象項目名】符号の説明
【補正方法】変更
【補正の内容】
【符号の説明】
１  外部同期信号入力部、  ２  外部同期信号検出部、  ４  同期信号生成部、  ５  水平画素カウンタ、  ６  同期信号生成デコーダ、  ７  同期信号出力部、  ８  窓信号生成デコーダ、  ９  同期制御部、  １０  制御信号生成回路、  １２  同期判定回路、  １３  ＯＲ回路、  １５  同期外れ判定回路、  １７  判定回数設定レジスタ、  １８  ＣＰＵ、  １９  窓信号期間設定レジスタ、  ２０  可変窓信号生成デコーダ、  ２３  同期状態検出レジスタ。
【手続補正９】
【補正対象書類名】図面
【補正対象項目名】図４
【補正方法】変更
【補正の内容】
【図４】
2002344770.tif 000001